(57)【要約】【課題】  浴槽の表面、洗い場の床面、浴室の壁面、浴槽と洗い場の角、排水溝等の浴室内における被洗い部の汚れを効率よく洗い落とせ、しかも、１つ分のスペースで保管可能である浴室用掃除具を提供すること。【解決手段】  握り部２が拳でほぼ４個分ほどの長さを有する柄１の先端部に、ほぼ９０度角に上下首振りおよび固定可能な態様の継ぎ部３を経て基板４を接続し、この基板４の上面部４ａにブラシ体１１を配設すると共に当該基板４の下面部４ｂにスポンジ体１２を配設してある。【選択図】  図１
0003119738.tif 000002
【実用新案登録請求の範囲】
【請求項１】
握り部が拳でほぼ４個分ほどの長さを有する柄の先端部に、ほぼ９０度角に上下首振りおよび固定可能な態様の継ぎ部を経て基板を接続し、この基板の上面部にブラシ体を配設すると共に当該基板の下面部にスポンジ体を配設してあることを特徴とする浴室用掃除具。
【請求項２】
スポンジ体を、基板の先端縁部および左右側縁部よりも外側にせり出した張り出し部を有する大きさに形成し、当該張り出し部における左右の角部を平面視１／４円状の曲面状に形成し、下面の洗い面を凹凸状としてあることを特徴とする請求項１記載の浴室用掃除具。
【考案の詳細な説明】
【技術分野】
【０００１】
本考案は、浴槽、洗い場、壁面等の浴室内を洗うのに好適な浴室用掃除具に関する。
【背景技術】
【０００２】
特許文献１に記載されている浴室用掃除具がある。これの構成は、浴室のシャワーや吐水口に繋ぎ、水路の途中に設けたノズルから噴出される水流により水車を回転させ、該水車の回転を減速機を介して駆動部に伝え、該駆動部にベースを嵌合させてブラシを取り付けた浴室用掃除具において、前記ベースの外径は６０〜１００mmに設定し、前記ブラシ は、毛束が前記ベースにドーナツ状に植毛されて構成され、毛束の根本のピッチ円直径は５０〜９０mmで、毛束は垂直方向に対し２０〜３５°の角度で外側へ傾斜しているものである。そして、回転時に毛先が外側へ広がり、細かい部分等を掃除できるとしている。
このように、人の労力負担を軽減しようとする様々な掃除具が提案されているが、毛束を回転させる動力として水資源を必要としている。
ところで、手作業により行なう際、風呂場を掃除する場合には、浴槽は表面（内側の底面および側面ならびに外側の側面等を含む）を傷つけない柔らかなスポンジ等の用具で洗い、洗い場はタイルの目地や滑り止めのための凹凸、排水溝があるためにブラシ等の用具で洗うようにしており、これらの被洗い部に対して２種類の用具を個別に使い分けている。また、滑り止めの凹凸がある浴槽底面や浴槽と洗い場の角さらに排水溝等は汚れを落とし難いという不満があった。また、洗う場所によって柄の長さを変える調整が必要であった。
また、スポンジとブラシの２つの用具を別々に使い分けるのは、用具を取り替える手間がかかり、また、狭い浴室や脱衣室に２つの用具を置く場所のスペースが無駄である。
【特許文献１】特開２０００−１５２９０７
【考案の開示】
【考案が解決しようとする課題】
【０００３】
解決しようとする課題は、第１には、浴槽の表面、洗い場の床面、浴室の壁面、浴槽と洗い場の角、排水溝等の浴室内における被洗い部の汚れを効率よく洗い落とせ、しかも、１つ分のスペースで保管可能である浴室用掃除具を、第２には、さらに、コーナー等の狭い箇所でも汚れを効率よく洗い落とせる浴室用掃除具を提供することにある。
【課題を解決するための手段】
【０００４】
本考案では前記した課題を達成するため、以下の構成にしたことを特徴とする。
１．握り部が拳でほぼ４個分ほどの長さを有する柄の先端部に、ほぼ９０度角に上下首振りおよび固定可能な態様の継ぎ部を経て基板を接続し、この基板の上面部にブラシ体を配設すると共に当該基板の下面部にスポンジ体を配設してあることを特徴とする。
２．前記した１において、スポンジ体を、基板の先端縁部および左右側縁部よりも外側にせり出した張り出し部を有する大きさに形成し、当該張り出し部における左右の角部を平面視１／４円状の曲面状に形成し、下面の洗い面を凹凸状としてあることを特徴とする。
【０００５】
本考案における柄の握り部は、拳でほぼ４個分ほどの長さになるが、具体的には４０ｃｍ程度である。継ぎ部は、柄に対して基板をほぼ９０度角に上下首振りおよび固定可能な機構構造からなる態様のものであればよい。基板は、長方形板、正方形板、円板等のいずれであってもよく、角部は丸くして被洗い部を傷めぬようにするのが望ましい。ブラシ体は、基板の輪郭形状と同形状の大きさのものであっても、そうでなくともよいし、毛が天然あるいは合成のいずれであってもよい。スポンジ体は、基板の輪郭形状と同形状の大きさのものであってもよいし、また、少なくとも基板の先端縁部および左右側縁部よりも外側にせり出した張り出し部を有する大きさのものでもよく、また、張り出し部が基板の後端縁部からもせり出している態様のものであってもよい。この張り出し部の張り出し長さは、洗い時に当該張り出し部が被洗い部に接触あるいは押圧力を受けて弾性変形して基板縁部に覆うように沿うことで、基板が被洗い部に直接衝突したり接触したりすることのない程度になる。スポンジ体は、下面の洗い面を凹凸状としてもよいし、平坦状にしてもよい。また、張り出し部における左右の角部は平面視１／４円状の曲面状でもよいし、角状であってもよい。
【考案の効果】
【０００６】
Ａ．請求項１により、握り部を拳でほぼ４個分ほどの長さにしてあるため、被洗い部に応じて、握り持つ位置を変えることで手の力を入れ易すくでき、柄に伸縮機構を備えずに済むし、伸縮調整作業も不要である。
そして、被洗い部に応じて、下面部側のスポンジ体をあてがうか、裏返して上面部側のブラシ体をあてがい、このスポンジ体あるいはブラシ体が被洗い部に面接触するように、柄と基板の接続角度を継ぎ部で調整して固定することで、手の力をスポンジ体あるいはブラシ体に効率よく伝えて、浴槽の表面、洗い場の床面、浴室の壁面、浴槽と洗い場の角、排水溝等の浴室内における汚れを効率よく洗い落とすことができる。
しかも、１つ分のスペースで保管することができる。
Ｂ．請求項２により、さらに、スポンジ体は、基板の先端縁部および左右側縁部よりも外側にせり出した張り出し部を有しているので、被洗い部の洗い時には、当該張り出し部が被洗い部に先に接触することになるし、あるいは、押圧力を受けて弾性変形して基板縁部に覆うように沿うことになるので、基板が被洗い部に直接衝突したり接触したりすることがなくなり、被洗い部を傷つけずに汚れ落としできる。
そして、コーナー等の狭い箇所でも角部を面接触させられることで、汚れを効率よく洗い落とすことができる。また、下面の洗い面が凹凸状であるから、被洗い部を能率よく洗える。
【考案を実施するための最良の形態】
【０００７】
図１〜図４には本考案の浴室用掃除具における実施の１形態を例示しており、
柄１は、握り部２が拳でほぼ４個分ほどの長さ（図面上では４０ｃｍ）を有し、握り持つ部位を変えて握りやすく力を入れ易い太さおよび形状に形成してある。また、握り部２端には穴２ａを開口し、フック等に掛けて壁面に吊るせるようにしてある。この柄１の先端部には、ほぼ９０度角に上下首振りおよび固定可能な態様の継ぎ部３を経て基板４を接続してある。
継ぎ部３は、柄１先端部の凸部５と、基板４後端部の二股状凸部６と、この二股状凸部６の凸部間の凹部７に凸部５が介入した状態に両部５，６を接続且つ固定可能なボルト８、ナット９からなり、凸部５と二股状凸部６との対向面にはそれぞれ放射状溝部１０を相互に噛合可能に配設することで、柄１に対する基板４の接続角度ａを９０度の範囲で自由に調整して固定可能にしてある。
【０００８】
基板４は、平面視横長の長方形状のプラスチック製（図面上では７×１１ｃｍ）で、上面部４ａにはブラシ体１１を配設すると共に当該基板４の下面部４ｂにスポンジ体１２を配設してある。
ブラシ体１１は、基板４と同じに平面視横長の長方形状（図面上では７×１１ｃｍ）で、上面の毛束１１ａを含めて適宜高さ（図面上では３ｃｍ）に形成してある。
スポンジ体１２は、平面視横長の長方形状（図面上では１０×１２ｃｍ）で、下面の凹凸状に形成してある洗い面１２ａを含めて適宜高さ（図面上では４ｃｍ）に形成してある。このスポンジ体１２には、基板４の先端縁部４ｃおよび左右側縁部４ｄよりも外側にせり出した張り出し部１２ｂを形成し、張り出し部１２ｂにおける先側の左右の角部１２ｃを平面視１／４円状の曲面状に形成してある。また、張り出し部１２ｂにおける張り出し幅は、先端縁側が３ｃｍで、左右側縁側が０．５ｃｍにしてあり、被洗い部１３を角まで洗えるようにすると共に傷めないようにしてある。
【０００９】
次に使用の一例を説明すると、被洗い部１３に応じてブラシ体１１あるいはスポンジ体１２を選択する。そして、被洗い部１３の角度が水平である場合、垂直である場合、傾斜している場合等の条件に対応して、握り部２を握り持って効果的に洗えるように、柄１とブラシ体１１あるいはスポンジ体１２との接続角度ａをボルト８、ナット９により最適角度に調整し、洗い作業して汚れを洗い落とす。この接続角度ａは９０度の範囲でほぼ無段階に調整可能である。たとえば、図４に例示するようにスポンジ体１２で水平状の被洗い部１３を洗う場合には、柄１に対してスポンジ体１２の接続角度ａを４５度にし、図５に例示するようにブラシ体１１で水平状の被洗い部１３を洗う場合には、柄１に対してブラシ体１１の接続角度ａを４５度にする。また、図１に例示するように、柄１に対してブラシ体１１およびスポンジ体１２の接続角度ａを０度に調整することで被洗い部１３を洗い作業することもある。
【図面の簡単な説明】
【００１０】
【図１】本考案の浴室用掃除具における実施の１形態を例示している側面図。
【図２】部分平面図。
【図３】継ぎ部周りの分解斜視図。
【図４】スポンジ体による被洗い部の洗い時を示す側面図。
【図５】ブラシ体による被洗い部の洗い時を示す側面図。
【符号の説明】
【００１１】
１  柄
２  握り部
２ａ  穴
３  継ぎ部
４  基板
４ａ  上面部
４ｂ  下面部
５  凸部
６  二股状凸部
７  凹部
８  ボルト
９  ナット
１０  放射状溝部
１１  ブラシ体
１１ａ  毛束
１２  スポンジ体
１２ａ  洗い面
１２ｂ  張り出し部
１２ｃ  角部
１３  被洗い部
ａ  接続角度
【図１】
0003119738.tif 000003
【図２】
0003119738.tif 000004
【図３】
0003119738.tif 000005
【図４】
0003119738.tif 000006
【図５】
0003119738.tif 000007